(57)【要約】【課題】導電性材料でドーピングした、導電性アルカリ塩を含む、エステル硬化させたアルカリ性フェノール系レゾール樹脂を含んでなる電極、電解質および／またはセパレータプレートを提供する。【解決手段】本発明によるセパレータプレートは、ガス流を導くための一個以上のフローフィールドを有する燃料電池で使用するのに好適なセパレータプレートであって、前記プレートが、導電性アルカリ塩を含み、エステル硬化させたアルカリ性フェノール系レゾール樹脂を含んでなる。【選択図】図３
2011077053.tif 000002
【特許請求の範囲】
【請求項１】
ガス流を導くための一個以上のフローフィールドを有する燃料電池で使用するのに好適なセパレータプレートであって、前記プレートが、導電性アルカリ塩を含み、エステル硬化させたアルカリ性フェノール系レゾール樹脂を含んでなる、セパレータプレート。
【請求項２】
前記樹脂が、導電性材料でドーピングした、導電性アルカリ塩を含み、エステル硬化させたアルカリ性フェノール系レゾール樹脂である請求項１に記載のセパレータプレート。
【請求項３】
前記樹脂と導電性材料との重量比が０．００１〜１００：１である、請求項２に記載のセパレータプレート。
【請求項４】
前記導電性材料が、炭素および／または非炭素導電性充填材を含んでなる、請求項２または３に記載のセパレータプレート。
【請求項５】
前記炭素がグラファイトまたは無定形炭素の形態にあり、かつ／もしくは前記非炭素導電性充填材が、金属、金属酸化物、および／または金属被覆されたグラファイト、および／またはガラスの形態にある、請求項４に記載のセパレータプレート。
【請求項６】
前記樹脂が、エステル硬化剤と、フェノール系レゾールおよび塩基との反応生成物である、請求項２〜５のいずれか一項に記載のセパレータプレート。
【請求項７】
前記フェノール系レゾールが、フェノール反応性アルデヒドと式：
【化１】
2011077053.tif 000009
（式中、Ｒ１は、直鎖状または分岐鎖状の１〜８個の炭素原子を含む、ハロゲン原子またはヒドロキシ基により置換されたアルキル基、ハロゲン原子、ヒドロキシ基、および／またはフェニルまたはベンジル基であり、
Ｍは、水素イオンと少なくとも一種の他の陽イオンの混合物であり、水素イオンと前記少なくとも一種の他の陽イオンのモル比は、ｐＨが７を超えるのに十分であり、２：１〜１：１であり、
ｎは０〜２である）
のアルカリ性化合物の反応生成物である、請求項６に記載のセパレータプレート。
【請求項８】
前記フェノール反応性アルデヒドが、式：
ＲＣＨＯ                            (II)
（式中、Ｒは水素原子、または直鎖状または分岐鎖状の、１〜８個の炭素原子を含むアルキル基を表す）
の化合物、または式(II)の化合物の前駆物質である、請求項７に記載のセパレータプレート。
【請求項９】
前記フェノール反応性アルデヒドが前記式(I)の化合物と、１：１〜１：３の比で反応する、請求項７または８に記載のセパレータプレート。
【請求項１０】
前記エステル硬化剤が、式：
Ｒ３ＣＯＯＲ４                      (III)
（式中、Ｒ３は、水素原子または直鎖状または分岐鎖状の１〜８個の炭素原子を含む、ハロゲン原子により置換されたアルキル基を表し、
Ｒ４は、直鎖状または分岐鎖状の、１〜８個の炭素原子を含むアルキル基、または
直鎖状または分岐鎖状の１〜８個の炭素原子を含むアルキル基、ハロゲン原子、ヒドロキシ基、および／またはフェニルまたはベンジル基により置換されたフェニル基
を表すか、または
Ｒ３は、Ｒ４との化学結合を表し、Ｒ４は、直鎖状または分岐鎖状の、２〜１０個の炭素原子を含むアルキル基を表す）
を有する、請求項６〜９のいずれか一項に記載のセパレータプレート。
【請求項１１】
前記樹脂が、前記樹脂の可撓性を増加するために可塑剤を含む、請求項２〜１０のいずれか一項に記載のセパレータプレート。
【請求項１２】
２個のフローフィールドを有する、請求項１〜１１のいずれか一項に記載のセパレータプレート。
【請求項１３】
導電性アルカリ塩を含み、エステル硬化させたアルカリ性フェノール系レゾール樹脂を含んでなる、電気装置で使用するのに好適な電解質。
【請求項１４】
前記樹脂が、請求項２〜１１のいずれか一項に規定されたものである、請求項１３に記載の電解質。
【請求項１５】
（ａ）負電極、
（ｂ）正電極、および
（ｃ）電解質手段、ならびに、所望により
（ｄ）セパレータおよび／または双極性プレート
を含んでなる電気装置であって、一個以上の電極、電解質および／またはセパレータまたは双極性プレートが、導電性アルカリ塩を含み、エステル硬化させたアルカリ性フェノール系レゾール樹脂を含んでなる、電気装置。
【請求項１６】
前記樹脂が、請求項２〜１１のいずれか一項に規定されたものである、請求項１５に記載の電気装置。
【請求項１７】
前記セパレータプレートが請求項１２〜１４のいずれか一項に規定されたものである、請求項１５または１６に記載の電気装置。
【請求項１８】
電池、２個以上の電池を含むバッテリー、またはコンデンサーである、請求項１５〜１７のいずれか一項に記載の電気装置。
【請求項１９】
前記電解質手段が、電解質の形態にあるか、または電解質を受け入れるように配置されている、請求項１５〜１８のいずれか一項に記載の電気装置。
【請求項２０】
前記電解質手段が、前記電池が作動する際に電解質が流れることができる導管の形態にあるか、または少なくとも前記電池が作動する際に電解質を入れることができる容器の形態にある、請求項１９に記載の電気装置。
【発明の詳細な説明】
【発明の分野】
【０００１】
本発明は、導電性重合体および導電性重合体電極組成物、およびそれらの使用、とりわけ重合体で接合した炭素電極に関する。
【背景技術】
【０００２】
導電性重合体および導電性重合体組成物には、電気化学的電池における電極、セパレータ、双極性プレート、電磁遮蔽物、帯電防止製品などの工業的な用途がある。
【０００３】
炭素電極材料は、燃料電池、バッテリー、エネルギー貯蔵コンデンサー、触媒担体、金属およびコンクリートの腐食防止、水精製、水滅菌、脱塩、スラッジ処理、酸性鉱床(acid mine)廃水処理、煙道ガス脱硫、土壌改良、金属回収、電気化学的センサーおよび電気合成を包含する、多くの電気化学的用途および工業的処理に使用されているか、または使用の可能性を有する。
【０００４】
電気化学的水処理方法は、従来の物理的、化学的および生物学的方式より有益であるため、益々重要になっている。電気的に駆動されるので、急速な反応速度を達成することができ、より小型で、より効率的な設備を設計することができる。電気化学的方法は、化学的処理および生物系の必要性に取って代わり、他の有益性、例えばスラッジ形成の減少および危険な薬品を輸送する必要性の軽減できるという利点を示す。
【０００５】
２００２年のWater UKからの報告（ENDS報告書339 1/4/03）では、英国における水処理は、品質標準向上のために、より経費がかかるようになっている。飲料水および廃水処理の両方に使用されるエネルギーが増加している。飲料水は、現在、クリプトスポリジウム規制に適合させるために必要な追加の処理およびポンプ輸送のために、メガリットルあたり６００キロワット時間を処理および供給に必要とし、１９９８年以降２８％上昇している。廃水側でも、エネルギー使用は１９９８年における４３７ｋＷｈ／Ｍｌから５９８ｋＷｈ／Ｍｌに、３７％増加している。この理由は、環境の質に関する必要条件が益々厳しくなり、会社はより多くの二次処理および紫外線滅菌設備を導入する義務を負い、処理および廃棄する下水スラッジ量が増大しているためである。
【０００６】
より効率的で、低コストの水処理が必要なことは明らかである。広く普及はしていないが、電気化学的水処理装置が開発され、市販されている。電極に使用されている既存の炭素材料は、典型的にはグラファイト、多孔質炭素、例えば炭素フェルト、エーロゲル、ナノフォームおよび網状ガラス質炭素である。グラファイトは、多孔質炭素材料より比較的安価であるが、脆い材料であり、設計形状を達成するには高温機械加工技術を必要とする。
【０００７】
多孔質炭素電極は、熱硬化性樹脂から、樹脂を特定の形状に予備形成し、次いで完全な炭素化が起こるまで高温に長時間暴露する製法により製造される。形成される炭素の体積は、元の樹脂サイズよりはるかに小さく、このために製品の収率が下がる。これは、特定の幾何学的形状またはサイズが必要な場合には重大な問題である。この製造技術にも、材料コストが高く、前駆物質炭素が高い炭化温度で「収縮」するために材料強度が弱いという欠点がある。
【０００８】
高表面積の立体的な炭素電極は、ゾル−ゲル技術を使用して有機化合物を炭素化することにより製造される。熱分解製法により、高表面積および高導電性を有するガラス質炭素材料を製造できる。しかしながら、この製造技術は、極めて高い製造コストがかかり、特定の幾何学的形状を製造するには追加の処理が必要になろう。
【０００９】
炭素粉末と混合した重合体状結合剤から製造された多孔質炭素電極は、一般的に不良導体である。重合体状結合剤を使用して炭素電極を形成する際の欠点は、ほとんどの結合剤が非導電性であるために、電極の導電性が悪化することである。
【００１０】
炭素電極の製造が少量生産技術に制限されること、および得られる製品は、機械加工の必要性、処理コスト、または両方のために、高価になることは明らかである。
【００１１】
炭素電極の製造に使用される製造技術は改良することができ、より効率的で、安価な、融通性がより高く、大量の炭素電極を製造する方法が求められている。
【発明の概要】
【００１２】
これらの問題に対する解決策が求められている。
【００１３】
本発明により、
（ａ）負電極、
（ｂ）正電極、および
（ｃ）電解質手段、および所望により
（ｄ）セパレータおよび／または双極性プレート
を含んでなる電気装置であって、一個以上の電極および／またはセパレータもしくは双極性プレートが、導電性アルカリ塩を含み、導電性材料でドーピングした、エステル硬化させたアルカリ性フェノール系レゾール樹脂を含んでなる、電気装置を提供する。
【００１４】
本発明の電気装置に使用する双極性および／またはセパレータプレートは、好ましくは本発明のセパレータプレートである。無論、電気装置が双極性プレートを含んでなる場合、その装置は負電極（ａ）および正電極（ｂ）を含んでなる必要はない。これは、双極性プレートが負および正電極を包含するためである。
【００１５】
本発明により、一個以上のガス向流フローフィールドを有する燃料電池で使用するのに好適なセパレータプレートであって、該プレートが、導電性アルカリ塩を含み、導電性材料でドーピングした、エステル硬化させたアルカリ性フェノール系レゾール樹脂を含んでなる、セパレータプレートを提供する。
【００１６】
本発明により、導電性アルカリ塩を含み、導電性材料でドーピングした、エステル硬化させたアルカリ性フェノール系樹脂を含んでなる、電極をさらに提供する。
【図面の簡単な説明】
【００１７】
【図１】回転シリンダーの様々な回転速度における銅およびカドミウム堆積に関するプロットを示す。
【図２】様々な電位における減損率の変化を示す。
【図３】本発明の電気装置の第一実施態様を図式的に示す断面図である。
【図４】本発明の電気装置の第二実施態様を図式的に示す平面図である。
【図５】本発明の双極性プレートを図式的に示す平面図である。
【図６】エステル硬化させたフェノール系樹脂で結合した炭素アノード（左側に示す）と比較したグラファイトロッドアノード（右側に示す）の、食塩水中で６５時間分極させた後の、著しい消耗を示す写真である。
【発明の具体的説明】
【００１８】
硬化させたフェノール系樹脂は、熱硬化性重合体であり、それらの良好な熱的および機械的安定性、およびそれらの耐炎性のために、他の樹脂系よりも優れている。通常、これらの樹脂は、電気的絶縁能力も優れている。従って、エステル硬化させたアルカリ性レゾール樹脂が電極として有用であることは、驚くべきことである。
【００１９】
フェノール系樹脂が、アルカリ性条件下で、有機エステルとの反応により硬化し得ることは公知である。そのようなアルカリ性フェノール系レゾール樹脂のエステル硬化は、ＤＥ−Ｃ  Ｎｏ．１，０６５，６０５、ＤＥ−Ｃ  Ｎｏ．１，１７１，６０６、ＪＰ−Ａ  Ｎｏ．４９−１６７９３およびＪＰ−Ａ  Ｎｏ．５０−１３０６２７に記載されている。これらの文献によれば、水溶液中の高アルカリ性フェノール系レゾール樹脂は、常温で、有機エステルとの反応で、樹脂を液体または気体の形態にあるエステルと接触させることにより、硬化させることができる。そのような技術は、耐火用途、例えば鋳型およびコアの製造、における砂の接合に使用される（米国特許第４，４２６，４６７号、第４，６８，３５９号および第４，４７４，９０４号）。この種の製法は、ヨーロッパ特許第０２４１１５６号にも記載されており、そこでは水性のアルカリ性フェノール−ホルムアルデヒド樹脂をエステル硬化剤で硬化させ、湿った石炭粉末を凝集させ、続いて凝集物を乾燥および硬化させている。
【００２０】
エステル硬化させたアルカリ性フェノール系レゾール樹脂は、工業界で２０年以上も使用されている。工業用途は、この急速な室温重合反応の恩恵を受けている。この重合体は、重合反応の副生成物としてその場で形成される高レベルの電解塩を含む点で独特である。我々は、重合体中に塩が存在するために、この重合体は、他の熱硬化性重合体よりもはるかに高い導電特性を有することを見出した。
【００２１】
我々は、エステル硬化させたアルカリ性フェノール系レゾール樹脂の導電性が、重合体組成物に導電性材料を添加することにより、強化されることも見出した。どのような導電性材料でも、その材料が重合体成分と相容性であり、硬化機構を妨害しない限り、樹脂またはエステル成分に添加して導電性を改良することができる。炭素、特にグラファイトの形態にある炭素、は、この重合体系の樹脂およびエステル成分と非常に相容性であり、反応の化学に影響を及ぼさない。
【００２２】
導電性を改良するために優先的に選択される炭素の形態は、好ましくは天然または合成のグラファイト粉末またはフレークである。炭素の主な必要条件は、樹脂との相容性、炭素の湿潤性および導電性である。２種類以上の炭素を異なった炭素、例えば活性炭粉末、ポリアクリロニトリル（ＰＡＮ）系炭素繊維、ピッチ系炭素繊維およびカーボンブラックの混合物との組合せで使用できる。炭素と、金属および金属酸化物粉末等の非炭素導電性充填材、ならびに、ニッケル被覆されたグラファイトおよび銀被覆されたガラス等の金属被覆されたグラファイトやガラスの組合せを使用できる。あるいは、一種以上の非炭素導電性充填材自体も使用できる。
【００２３】
樹脂および導電性混合物のエステル成分と相容性があり、重合反応を抑制しない非炭素導電性充填材、例えば金属および金属酸化物粉末および金属被覆されたグラファイトおよびガラス、例えばニッケル被覆されたグラファイトおよび銀被覆されたガラス、は、導電性充填材として使用できる。
【００２４】
樹脂は、好ましくは導電性材料で、樹脂と導電性材料の重量比が好ましくは少なくとも０．００１：１、より好ましくは少なくとも０．００２：１、最も好ましくは少なくとも１：１であり、好ましくは最高１００：１、より好ましくは最高２０：１、最も好ましくは最高１０：１になるような量で、ドーピングする。
【００２５】
エステル硬化させたアルカリ性フェノール系レゾールは、硬化したアルカリ性フェノール系組成物の重合体マトリックスが高レベルのアルカリ性塩を含む点で、酸硬化させたレゾールと区別できる。カルボン酸の塩を分散または溶解させることは、液体レゾールにおいては、フェノール系樹脂が溶解性を失い、溶液から沈殿することがあるので、非常に困難である。第二に、分散したカルボン酸の塩を含むフェノール系レゾールを酸性化すると、塩が酸と反応することによりＣＯ２が発生する。従って、硬化させたアルカリ性レゾール組成物の独特な特徴は、硬化反応中に形成された、硬化した重合体マトリックス中に大量のカルボン酸塩が存在することである。
【００２６】
本発明において、導電性アルカリ塩を含み、導電性材料でドーピングした、エステル硬化させたアルカリ性フェノール系レゾール樹脂を使用することの利点としては、
・組成物を室温で成形できるので、製造工程がより迅速に、簡単に、安価になり、
・組成物を低および高圧下で成形でき、
・樹脂が、炭素の結合に通常使用する結合剤より高い導電性を有するので、導電性の低下が最小に抑えられ、
・樹脂が、室温で硬化し、収縮が最小限に抑えられるので、機械加工を必要とせず、良好な材料強度を有する、耐久性の高い製品が得られ、
・樹脂を水で無限に希釈でき、加えられた水は炭素またはグラファイトの粉末またはフレークの濡れ性を改良し、炭素含有量の高い電極材料を製造することができ、
・樹脂を発泡させ、立体的な、高表面積の多孔質導電性構造を製造することができ、
・樹脂を導電性充填材でドーピングすることができ、
・出発材料が比較的安価で、製造コストを節約でき、
・大量生産が可能で、
・反応が穏やかに発熱するだけであり、大規模な、かさの大きな製品を形成することができる
ことが挙げられる。
【００２７】
コスト節約を例示するために、下記の数値を提供する。市販の炭素ＲＦ［レゾルシノール−ホルムアルデヒド］エーロゲル材料は、Marketech International Inc.からブロック、顆粒、粉末および紙の形態で供給されている。２００３年１１月で、１００ｇ量のＲＦエーロゲルの価格は、機械加工前でＵＳ＄１８５である。ＲＦエーロゲル紙シート（３．５インチｘ１０ｘ０．０１）の価格は、１００シートあたりＵＳ＄６６５である。炭素エーロゲルはより高価で、１００ｇＵＳ＄２７５であり、１００紙シートは＄１００である。本発明で使用する炭素ドーピングした樹脂材料の成形形態１００ｇは約ＵＳ＄０．４２になろう。
【００２８】
低コスト電極材料、例えばグラファイトおよび銅に対して、この材料コストは、電極製造総コストのほんの僅かな部分を占めるだけである。グラファイトおよび銅は、精密な形状を製造するには高温機械加工工具を必要とする。製造時間、機械加工時間、労力およびスクラップは、全体的なコストにとって非常に重要である。本発明で使用する炭素ドーピングした樹脂は、機械加工を行わずに精密な形状に成形し、硬化させることができ、労力およびスクラップを減少させることができる。
【００２９】
本発明の電気装置で与えられるコスト節約の結果、現在のところ、他の工業的処理である、塩素処理、オゾン処理および凝析等の水精製技術とコスト的に競合できない工業的電気化学的処理を経済的に使用することができる。
【００３０】
本発明の電気装置は、好ましくは２個以上の電池を含むバッテリー、またはコンデンサー（特に電解コンデンサー）である。電気装置が燃料電池である場合、その装置は、少なくとも一個の双極性プレートおよび電池を通る酸素および水素の流れを制御する入口および出口を含む。
【００３１】
本発明のセパレータは、単一のフローフィールドを有する。これは、集電装置として、特に燃料電池において有用である。双極性プレートは、積層構造中の個々の燃料電池同士間の、平らで、ガスに対して不透過性で、導電性のセパレータである。双極性プレートは、両側にフローフィールドを有する。フローフィールドは、好ましくはプレート中に機械加工または成形された少なくとも一個の通路である。フローフィールドは、片側で燃料（通常は水素）、反対側で酸化体を、燃料電池中の入口地点から出口地点に運ぶのに好適である。
【００３２】
本発明の電気装置の電解質手段は、所望により電解質の形態にあるか、または電解質を受け入れるように配置される。例えば、電解質手段は、電池が作動する際に電解質が中を通って流れることができる導管の形態でも、あるいは電解質手段は、少なくとも電池が作動する際に電解質を入れることができる容器の形態でもよい。
【００３３】
本発明は、炭素ドーピングした、エステル硬化させた塩含有アルカリ性レゾール樹脂の電極としての使用も提供する。
【００３４】
本発明は、導電性のエステル硬化させた塩含有アルカリ性レゾール樹脂または組成物の、電磁遮蔽材料としての、またはある場所における静電気放電を阻止するための使用も提供する。本発明で使用する樹脂の電磁遮蔽材料としての用途の例には、電子製品、例えばコンピュータ、金銭登録機、携帯電話、その他の日用電子装置、用のハウジング、あるいは電子部品、または静電気放電により引き起こされる粉塵爆発の危険性がある微粉、例えば食品、に使用する帯電防止包装材料が挙げられる。
【００３５】
本発明は、製品中で電磁的干渉を抑制する方法であって、導電性のエステル硬化させた塩含有アルカリ性レゾール樹脂または組成物で該製品を遮蔽することを包含する、方法をさらに提供する。この遮蔽には、好ましくは製品に、少なくとも部分的に導電性のエステル硬化させた塩含有アルカリ性レゾール樹脂または組成物で構築したハウジングを備えることが関与する。製品は、電気または電子製品でよい。
【００３６】
本発明は、任意の場所における静電気放電を防止する方法であって、導電性のエステル硬化させた塩含有アルカリ性レゾール樹脂または組成物をその場所に備えることを含む方法も提供する。好適な場所は、微粉用または電子装置または部品、例えばマイクロチップまたはプリント回路基板用の包装物であるか、あるいは、床被覆材、ガスメーター部分、水ポンプシールまたは自己潤滑性軸受け、あるいは静電気放電に対して敏感な装置または部品を操作または加工する作業台または類似の場所でよい。
【００３７】
導電性材料でドーピングした、エステル硬化させた塩含有アルカリ性フェノール系レゾール樹脂は、好ましくはエステル硬化剤と、フェノール系レゾールおよび塩基の反応生成物である。フェノール系レゾールは、好ましくはフェノール反応性アルデヒドと式
【化１】
2011077053.tif 000003
（式中、Ｒ１は、直鎖状または分岐鎖状の、所望により不飽和の、１〜８個の炭素原子（好ましくは１〜４個の炭素原子、より好ましくは１〜２個の炭素原子）を含み、所望によりハロゲン原子（好ましくは塩素）またはヒドロキシ基により置換されたアルキル基、ハロゲン原子（好ましくは塩素）、ヒドロキシ基、および／またはフェニルまたはベンジル基（所望によりヒドロキシ基および／または直鎖状または分岐鎖状の、１〜８個の炭素原子（好ましくは１〜４個の炭素原子、より好ましくは１〜２個の炭素原子）を含み、所望によりハロゲン原子（好ましくは塩素）またはヒドロキシ基により置換されたアルキル基により置換されている）であり、
Ｍは、水素イオンと少なくとも一種の他の陽イオン（好ましくは、少なくとも一種の他の陽イオンは、アルカリ金属陽イオン（好ましくはナトリウム、リチウムまたはカリウム）、アルカリ土類金属陽イオン（好ましくはバリウム、マグネシウムまたはカルシウム）、および／またはＮ（Ｒ２）４＋イオン（ここで各Ｒ２は、同一であるか、または異なるものであって、水素または直鎖状または分岐鎖状の、１〜４個の炭素原子を含むアルキル基）である）の混合物であり、水素イオンと少なくとも一種の他の陽イオンのモル比は、ｐＨが７を超えるのに十分であり、好ましくは２：１〜１：１であり、
ｎは０〜２である）
のアルカリ性化合物の反応生成物である。
【００３８】
式(I)の好適な化合物の例としては、フェノール自体の塩、置換されたフェノール、例えばアルキル化フェノール、ハロゲン化フェノールおよび多価フェノール、の塩、およびヒドロキシ置換された多核芳香族化合物があるが、これらに限定するものではない。アルキル化フェノールの例としては、メチルフェノール（クレゾールとも呼ばれる）、ジメチルフェノール（キシレノールとも呼ばれる）、２−エチルフェノール、ペンチルフェノールおよびｔｅｒｔ−ブチルフェノールがある。ハロゲン化フェノールの例は、クロロフェノールおよびブロモフェノールである。多価フェノールの例としては、１，３−ベンゼンジオール（レゾルシノールとも呼ばれる）、１，２−ベンゼンジオール（ピロカテコールとも呼ばれる）、１，４−ベンゼンジオール（ヒドロキノンとも呼ばれる）、１，２，３−ベンゼントリオール（ピロガロールとも呼ばれる）、１，３，５−ベンゼントリオールおよび４−ｔｅｒｔ−ブチル−１，２−ベンゼンジオール（ｔｅｒｔ−ブチルカテコールとも呼ばれる）がある。ヒドロキシ置換された多核芳香族化合物の例としては、４，４’−イソプロピリデンビスフェノール（ビスフェノールＡとも呼ばれる）、４，４’−メチリデンビスフェノール（ビスフェノールＦとも呼ばれる）およびナフトールがある。
【００３９】
式(I)の２種類以上の化合物と、フェノール反応性アルデヒドの一種以上の分子との縮合反応により形成される化合物の塩が、エステル硬化させたアルカリ性レゾール樹脂で使用するのに好適である。例としては、フェノール自体の樹脂状反応生成物、置換されたフェノール、例えばアルキル化フェノール、ハロゲン化フェノールおよび多ヒドロキシフェノール、の塩、およびヒドロキシ置換された多環式芳香族化合物があるが、これらに限定するものではない。さらに、アルデヒド反応性フェノールの混合物、例えばコールタール分別から得られる混合物、解重合されたリグニンおよびカシュウナット殻液をレゾール成分の全部または一部として使用できる。
【００４０】
式(I)の化合物と反応させてアルカリ性フェノール系レゾールを形成するのに使用するフェノール反応性アルデヒドは、好ましくは式：
ＲＣＨＯ                            (II)
(式中、Ｒは水素原子、または直鎖状または分岐鎖状の、１〜８個（好ましくは１〜４個、より好ましくは１〜２個、最も好ましくは１個）の炭素原子を含むアルキル基を表す）
の化合物、または式(II)の化合物の前駆物質である。
【００４１】
好適なアルデヒドの例としては、ホルムアルデヒド、アセトアルデヒド、プロピオンアルデヒド、ｎ−ブチルアルデヒド、ｎ−バレルアルデヒド、カプロアルデヒドがある。式(II)の化合物の前駆物質として使用するのに好適な化合物としては、ホルムアルデヒドに分解する化合物、例えばパラホルムアルデヒド、トリオキサン、フルフラール、ヘキサメチレントリアミン、加熱によりホルムアルデヒドを放出するアセタール、およびベンズアルデヒドがある。
【００４２】
アルデヒドは、好ましくは(I)の化合物と、１：１〜１：３、好ましくは１：１．２〜１：３、より好ましくは１：１．５〜１：３の比で反応させる。
【００４３】
ある種のアルカリＭ（ＯＨ）Ｘ（ここでＭは上に定義した通りであり、水素ではない陽イオンを表し、ｘは１または２を表す）、例えば水酸化カルシウム、は水性樹脂中にあまり可溶ではない。これらの化合物も、樹脂を脱水し、エステルをレゾール用の溶剤として使用することにより、使用できる。水に不溶なアルカリは、樹脂中に分散させ、ペーストを形成することができる。その場合、反応を開始するのに、極性溶剤（例えば水）を必要とする。
【００４４】
アルカリ性フェノール系レゾール樹脂の硬化に使用するエステル硬化剤は、好ましくは式：
Ｒ３ＣＯＯＲ４                      (III)
を有し、式中、
Ｒ３は、水素原子、または直鎖状または分岐鎖状の、１〜８個の炭素原子（好ましくは１〜４個、より好ましくは１〜２個の炭素原子）を含み、所望によりハロゲン原子により置換されたアルキル基を表し、
Ｒ４は、直鎖状または分岐鎖状の、１〜８個の炭素原子（好ましくは１〜４個の炭素原子、より好ましくは１〜２個の炭素原子）を含み、所望により一個以上のヒドロキシおよび／またはＲ３ＣＯＯ基により置換されたアルキル基、または
所望により直鎖状または分岐鎖状の、所望により不飽和の、１〜８個の炭素原子（好ましくは１〜４個の炭素原子、より好ましくは１〜２個の炭素原子）を含み、所望によりヒドロキシ基により置換されたアルキル基、ハロゲン原子（好ましくは塩素）、ヒドロキシ基、および／またはフェニルまたはベンジル基（所望によりヒドロキシ基および／または直鎖状または分岐鎖状の、１〜８個の炭素原子（好ましくは１〜４個の炭素原子、より好ましくは１〜２個の炭素原子）を含むアルキル基により置換されている）により置換されたフェニル基
を表すか、または
Ｒ３は、Ｒ４との化学結合を表し、Ｒ４は、直鎖状または分岐鎖状の、２〜１０個の炭素原子（好ましくは２〜４個の炭素原子）を含むアルキル基を表す。
【００４５】
アルカリ性レゾール樹脂用のエステル硬化剤は、硬化した樹脂中で塩を形成するように、アルカリと反応性でなければならない。反応性エステルとしては、カルボン酸エステル、多価アルコールのエステル、ラクトンおよび炭酸エステル、フェノール系エステルおよびレゾールエステルがあるが、これらに限定するものではない。反応性カルボン酸エステルの例は、メチルホルメートおよびエチルホルメートである。樹脂用の硬化剤として使用できる反応性多価アルコールエステルの例としては、グリセロールトリアセテートおよびエチレングリコールジアセテートがある。反応性炭酸エステルの例としては、環状炭酸エステル、例えばプロピレンカーボネートおよびエチレンカーボネートがある。反応性ラクトンの例としては、プロピオラクトン、ブチロラクトン、バレロラクトンおよびカプロラクトンがある。反応性フェノール系エステルの例は、フェニルアセテートおよびレゾルシノールジアセテートである。反応性レゾールエステルの例は、２，４，６−トリス−アセトキシメチルフェニルアセテートである。エステルの混合物、例えばプロピレンカーボネートとトリアセチン、を使用し、硬化速度を変えることができる。
【００４６】
エステルによるレゾールの硬化速度は、主として共役酸の酸性度により決定され、例えばギ酸の酸性度は酢酸より大きいので、エチルホルメート（Ｒ３＝Ｈ）は、エチルアセテート（Ｒ３＝ＣＨ３）より、約１０００倍速く反応する。各エステルを使用して達成できるゲル時間も、類似したオーダーの差を示す。アルコール（Ｒ４）の炭素鎖長が、けん化速度およびゲル時間に影響する程度はより小さく、追加炭素毎にけん化速度は下がり、ゲル時間は増加する。Ｒ３およびＲ４の鎖長および／または分岐が増加するにつれて、樹脂とエステルの混和性が低下することも分かった。エステルと樹脂との間の良好な相容性は、硬化反応が進行するために不可欠である。従って、エステル硬化剤の選択が反応の硬化速度を決定し、反応中に形成されるカルボキシレートイオン、および最終的には電極の特性に影響を及ぼす重合体マトリックス中に含まれる塩も決定することは明らかである。
【００４７】
本発明で使用するエステル硬化させた塩含有アルカリ性フェノール系レゾール樹脂を形成するための反応に使用する塩基は、好ましくは、本発明で使用する樹脂に可溶な導電性塩を形成できるアルカリ性化合物である。好適な塩基の例は、アルカリまたはアルカリ土類金属の、あるいはアンモニア、例えばリチウム、ナトリウム、カリウム、マグネシウム、カルシウム、バリウムまたはアンモニア、の水酸化物または酸化物である。
【００４８】
本発明で使用するエステル硬化させた塩含有アルカリ性フェノール系レゾール樹脂は、好ましくはレゾール樹脂、エステル硬化剤、一種以上の塩基および、所望により、極性溶剤から製造される。それらの合成方法は、当業者には良く知られており、ＤＥ−Ｃ−１０６５６０５、ＤＥ−Ｃ−１１７１６０６、ＪＰ−Ａ４９−１６７９３およびＪＰ−Ａ５０−１３０６２７に記載されている。これらの文献によれば、水溶液中の高アルカリ性フェノール系レゾール樹脂は、常温で、有機エステルとの反応により、樹脂を液体または気体の形態にあるエステルと接触させることにより、硬化させることができる。本発明で使用する、導電性アルカリ塩を含むエステル硬化させたアルカリ性フェノール系レゾール樹脂は、所望により、必要とする特定の特性に応じて、乾燥した、または無水の形態にある。
【００４９】
エステル硬化させたアルカリ性フェノール系樹脂のもう一つの特徴は、ほとんどの一般的な熱硬化性重合体系と異なり、水性であり、水で希釈できることである。重合反応は、水で希釈した樹脂にエステル硬化剤を加えることにより影響されず、重合体の硬化は、遅い速度ではあるが、進行する。しかし、より急速な硬化エステルを使用することにより、硬化過程の速度を所望の速度に増加することができる。水で希釈できる特性が、導電性材料でドーピングした、エステル硬化させたフェノール系樹脂混合物に与える主な利点は、炭素またはグラファイトの粉末またはフレークを湿潤させ、導電性材料の含有量が高い電極材料を製造し、その材料から高導電性電極を形成できることである。室温硬化により、加えた水は形成された電極材料から蒸発し、堅い、固体の、高導電性材料、低含水量の、導電性材料でドーピングされた、エステル硬化させたフェノール系重合体が得られる。
【００５０】
樹脂／炭素混合物に水を制御しながら加えることが、混合物の稠性（コンシステンシー）を変化させ、使用する室温射出成形、注ぎ込み、キャスティング技術に適合させることができるので、処理にとって重要である。高度に水を加えた場合、増粘剤、例えばデンプンまたはデンプン誘導体、セルロースまたはセルロース誘導体、天然ガム、例えばアラビアゴムまたはグアーガム、または合成増粘剤、例えばポリアミドまたはポリアクリレートを含むことにより、混合物の稠性を効果的に調整することができる。
【００５１】
本発明で使用する樹脂は、樹脂の可撓性を増大させるために、所望により可塑剤を含む。ある種の用途にはたわみ性樹脂が有用であることは明らかである。可塑剤は、好ましくは不活性で、アルカリと相容性があり、不揮発性である、および／または液体である。好ましくは、可塑剤は、樹脂および／またはエステル硬化剤に可溶である。可塑剤のレベルは、用途の必要条件によって決定され、硬化した電極材料の導電性に対する影響により制限される。可塑剤の例としては、過剰のエステル硬化剤、ポリビニルアセテートおよび／またはポリエチレングリコールがある。
【００５２】
エステル硬化させたフェノール系樹脂は、樹脂処方物中に発泡剤を使用して発泡させ、立体的な構造を形成することができる。発泡剤の例としては、水混和性が低い低沸点溶剤、例えばトリクロロモノフルオロメタン（ＣＦＣ−１１）、水素化クロロ過フッ化炭化水素（「ＨＣＦＣ」と呼ばれる）、部分的に水素化された過フッ化炭化水素（「ＨＦＣ」と呼ばれる）、炭化水素、例えばイソ−ペンタンおよびシクロペンタンがある。この用途に発泡剤を使用するのは、絶縁性フォームを製造するためではなく、立体的な連続気泡構造を形成するためだけである。従って、発泡剤は硬化工程中に失われ、立体的構造を形成した後に回収し、循環使用することができる。他の発泡剤、例えば二酸化炭素および窒素も使用できる。
【００５３】
添付の図面を参照しながら本発明を説明するが、図１および２は、回転シリンダーの形態にある電極を有する本発明の電池を使用する試験から得た結果を示す。
【００５４】
図３は、電解質２のブロックを有し、その両側に非対称性の電極３ａ、３ｂを備えた電気装置を示す。非対称性電極は、電気的接続部４ａ、４ｂをそれぞれ備えている。これらの電極は、一方がカソードとして作用し、他方がアノードとして作用するという点で、非対称性電極である。非対称性電極は、例えば例２により製造された樹脂から形成されている。
【００５５】
図４は、例えば水素の入口３０および出口３５、および酸素の入口４０および出口４５を有する燃料電池１０の形態にある電気装置を示す。この例の燃料電池１０は、電極２０、２５および双極性プレート１５を有する。双極性プレート１５は、図５に、その表面上に溝５０を有するものとしてより詳細に示す。プレート１５の反対側の面も溝５０を有する。双極性プレート１５の変形は、片面だけに溝５０を有するセパレータプレートである。
【実施例】
【００５６】
下記の例は、本発明で使用する電極の製造方法を例示する。本発明の有益性も立証する。これらの例で、使用する材料は、従来のアルカリ性フェノール系レゾール（樹脂Ａ）、中性レゾール樹脂（Ｂ）、ブチロラクトン（エステル）、トリアセチン（エステル）、およびグラファイト、ニッケル粉末および銅粉末（導電性強化剤）である。
【００５７】
例１
この例は、アルカリ性フェノール−ホルムアルデヒド樹脂の、ホルムアルデヒドとフェノールのモル比が２．０：１であり、水酸化ナトリウムとフェノールのモル比が０．６５：１である製造を説明する。フェノール（５．０モル）および水酸化ナトリウム（０．１モル）を反応容器に入れ、温度を６５℃に維持しながら、５０％ホルマリン（３．０モル）を加えた。温度を８０℃に上げ、５０％ホルマリン（７．０モル）の第二装填量を３０分間かけて徐々に加えている間、８０℃に維持した。次いで、混合物を８０℃に６０分間維持してから、５０％水酸化ナトリウム溶液（３．１５モル）を加え、温度を８０℃に維持した。樹脂を８０℃で粘度４００ｃＰに濃縮した。
【００５８】
例２
電極として使用する、炭素ドーピングした、エステル硬化させたレゾール樹脂を、紙カップ中で、樹脂Ａ５０ｇをグラファイト１００ｇ、水５０ｇおよびブチロラクトン１０ｇと混合することにより、製造した。混合物の一部をラテックス製の型に流し込み、硬化させた。ゲル時間は、混合物をカップに入れた時から記録した。
【００５９】
例３
例２から得たキャスティングした試料を室温で２４時間放置してから、Como DT3800 Digital Multimeterを使用して電導度を測定した。試料の抵抗は２０℃で９オームと測定された。
【００６０】
例４
この例は、例２で製造した樹脂が、溶液から金属イオンを効率的に回収するための電極材料としてどのように機能するかを立証する。樹脂をシリンダーに加工し、銀を使用することによりエポキシ樹脂を回転ディスク電極に固定し、回転シリンダー電極ＲＣＥを製造した。
【００６１】
次いで、このＲＣＥを各種実験に使用し、試験条件下で電極材料がどの程度効率的であるかを主として示した。第一に、この電極を使用し、０．５Ｍ  Ｈ２ＳＯ４中、ｐＨ２で１ｍｍｏｌのＣｕ２＋およびＣｄ２＋堆積に対する電流−電位曲線を得た。
【００６２】
図１で、５通りの異なった回転速度に対する結果を与える５つの曲線を示す。各曲線に対する回転速度は、順に下記の通りである。第一の曲線（グラフで最も下にあり−０．０２ｍＡに達する）は、２００ｒｐｍで測定し、第二の曲線は４００ｒｐｍで測定し、第三の曲線は８００ｒｐｍで測定し、第四の曲線は１６００ｒｐｍで測定し、第五の曲線は３２００ｒｐｍで測定した。
【００６３】
各曲線は、電位を変化させた時の電流変化を示す。このスキャンでは、電位を変化させ（１ｍＶｓ−１で）、電流を記録する。電流の強度は、起きている反応（この場合は銅およびカドミウムの堆積）によって異なる。初期の曲線（−１５０〜−７５０ｍＶの範囲）は、電極表面上への銅の堆積により引き起こされ、−７５０〜１０５０ｍＶではカドミウムが堆積し始め、−１０５０ｍＶ後では水素発生（二次反応として）が開始する。
【００６４】
図１から、例２の樹脂が、混合溶液から銅およびカドミウムが除去されている時の電極として機能していることは明らかである。
【００６５】
例５
この例では、例２の電極を使用して溶液から銅を２時間にわたって集め、ある間隔で試料を採取し、溶液中の銅の量を分析した。
【００６６】
第一に図２から、予想されるように、実験中に電位が増加するにつれて、溶液から銅が除去される速度が増加する。また、同じ電位（−０．４３Ｖ）に対して、電極がすでに銅の中に被覆（前処理）されている場合、銅が除去される速度も、−０．６０Ｖで実験を行う場合の速度に近い速度に増加する。電極を前処理するか、または実験中に電位を増加することにより、除去速度がさらに１０％増加することが分かる。２時間の期間にわたって、除去された銅の量は丁度５０％未満である。
【００６７】
これらの結果は、この重合体材料が、水から金属イオンを除去するのに使用できることを示している。
【００６８】
例６
炭素ドーピングした、エステル硬化させたフェノール系樹脂の電極材料を、様々な粒子径分布のグラファイト等級の炭素から製造した。
【００６９】
試料Ａ：グラファイト等級KL96/97（９６〜９７％の炭素フレークグラファイト、２０〜２５ミクロンのｄ５０に粉砕、Branwell、英国から供給）１００ｇを、樹脂４０ｇ（例１から）、水７５ｇ、グアーガム増粘剤０．６ｇおよびトリアセチン硬化剤８ｇと混合した。この混合物をKenwood Chef中で２分間混合し、次いで１０ｍｌの円筒形の型の中に注ぎ込み、室温で硬化させた。１５分後、試料を型から取り出した。型から取り出してから１時間後に抵抗率の測定を開始し、続く数日間続行した。
【００７０】
試料Ｂ：グラファイト等級2300 d50 36-42ミクロンのより粗い等級を使用してＡと同様にしたもの。
【００７１】
試料Ｃ：フレーク等級グラファイトKFL96/97「小フレーク」（典型的には３５〜４０％＞１００ミクロン、４０％＜７５ミクロン、すなわち平均粒子径８０〜９０ミクロンを有する）を使用してＡと同様にしたもの。
【００７２】
【表１】
2011077053.tif 000004
【００７３】
表１は、すべての試料が、高い初期抵抗を有すること、および硬化が進行するにつれて抵抗は続く数時間にわたって急速に低下し、＜１０オームｃｍに達することを示している。
【００７４】
例７
炭素ドーピングした、エステル硬化させたフェノール系樹脂電極材料を、炭素グラファイトを他の導電性充填材と混合したものから製造した。
【００７５】
試料Ｄ：Branwell、英国から供給されたグラファイト等級2300  ４０ｇを銅粒子８０ｇと混合し、樹脂２０ｇ（例１から）に加えた。トリアセチン硬化剤４ｇを加え、混合物をカップ中で２分間混合し、次いで１０ｍｌの円筒形の型の中に注ぎ込み、室温で硬化させた。１５分後、試料を型から取り出した。型から取り出してから１時間後に抵抗率の測定を開始し、続く数日間続行した。
【００７６】
試料Ｅ：ニッケル粒子３６〜４２ミクロンを使用し、Ｄと同様にしたもの。
【００７７】
【表２】
2011077053.tif 000005
【００７８】
表２は、すべての試料が高い初期抵抗を与えること、および硬化が進行するにつれ、続く数時間にわたって抵抗が急速に低下し、＜２０オームｃｍに達することを示している。
【００７９】
例８
炭素ドーピングした、エステル硬化させたフェノール系立体フォーム構造の製造
炭素ドーピングした、エステル硬化させたフェノール系立体フォーム構造を、Borden Chemical UK Ltdから供給されたフェノール系フォーム樹脂IDP292  ５０部を、Dow Corningから供給されたDC193シリコーン油２部と予備混合することにより、製造した。次いで、KL96/97グラファイト粉末１００部および水５０部をこの樹脂と、滑らかな混合物が達成されるまで混合した。高速実験室用ミキサーを使用し、HCFC14lb発泡剤１０部を樹脂混合物中に混合し、滑らかなエマルションを得た。反応を開始するために、高速ミキサーを使用してブチロラクトン硬化剤１５部をエマルションの中に混合した。１０秒間混合した後、フォーム混合物をプラスチック製の型に移し、直ちに５０℃の加熱炉中に入れ、そこでフォームを膨脹させ、一晩放置して硬化させた。フォームを切断した時、連続気泡の、密度２６５ｋｇｍ−３の細かいフォーム構造が測定された。２４時間後に、抵抗１Ｋオームｃｍが測定された。
【００８０】
例９
樹脂Ｂ  中性レゾールの製造
フェノール（１モル）および水酸化ナトリウム（０．００４モル）を反応容器に入れ、温度を５０℃に維持しながら、５０％ホルマリン（０．６モル）を加えた。次いで、温度を８０℃に上げた。５０％ホルマリン（１．０モル）の第二装填量を３０分間かけて徐々に加えている間、温度を８０℃に維持した。次いで、混合物を８０℃に４５分間維持した。ｐ−トルエンスルホン酸溶液でｐＨを６．０±０．２に調節した。樹脂を６０℃に冷却し、次いで減圧蒸留により、粘度２００ｃＰに達するまで脱水した。得られた樹脂は、樹脂固体含有量が７２％であった。
【００８１】
例１０
電極として使用する、エステル硬化させたレゾール樹脂を、紙カップ中で、樹脂Ａ５０ｇをブチロラクトン１０ｇと混合することにより、製造した。混合物の一部をラテックス製の型に流し込み、硬化させた。ゲル時間は、混合物をカップに入れた時から記録した。
【００８２】
例１１
例１１では、樹脂Ｂ５０ｇを１０℃未満に冷却し（発熱を抑えるために）、酸２ｇと混合した。
【００８３】
例１０および１１で得たキャスティングした試料を室温で２４時間放置してから、Como DT3800 Digital Multimeterを使用して抵抗を測定した。
【００８４】
抵抗値の結果を表３に示す。
【００８５】
【表３】
2011077053.tif 000006
【００８６】
例１０および１１は、酸硬化させたレゾール組成物（例１１）と比較した、エステル硬化させたフェノール系レゾール反応（例１０）中でアルカリ金属塩の形成により誘発される電導度を示す。
【００８７】
例１２
グラファイト等級2369（９８％の炭素フレークグラファイト、８０％最小＞１８０ミクロンに粉砕、Branwell、英国から供給）１００ｇを、樹脂Ａ５０ｇおよびトリアセチン硬化剤１０ｇと混合した。この混合物をKenwood Chef中で２分間混合し、次いで２０ｍｌの円筒形の型の中に注ぎ込み、液圧プレスを使用してプレスし、型から離し、室温で硬化させた。試料は、ある範囲の圧力下で調製した。型から取り出してから２４時間後に抵抗率の測定を開始した。
【００８８】
【表４】
2011077053.tif 000007
【００８９】
例１３
この例は、例２で製造したエステル硬化させたフェノール系樹脂で結合させた炭素電極が、電極材料（この場合はアノード）として、どのように機能するかを立証する。これは、例えばＣｌ−イオンを塩素ガスに還元するのに有用であろう。電極組成物をシリンダーに加工し、飽和食塩溶液中、５０ｍＡｃｍ−３で６５時間アノード分極させた。分極開始時のアノード重量は１２．５ｇであった。６５時間後、この重量は１２．８ｇと測定され、良好なアノード安定性を示した。
【００９０】
標準的なグラファイトロッドを飽和食塩水中で同じ時間アノード分極させたところ、エステル硬化させたフェノール系樹脂で結合させた炭素電極と比較して、著しく浸食されることが分かった。これは、図６に示す電極のサイズを比較することにより、示されている。図６では、右側の電極が、６５時間分極処理した後の標準的なグラファイトロッドである。左側に示す、本発明により製造された、やはり６５時間の分極処理にかけた電極より著しく小さいことが分かる。
【００９１】
本発明は、以下の通りである。
１．導電性材料でドーピングした、導電性アルカリ塩を含み、エステル硬化させたアルカリ性フェノール系レゾール樹脂を含んでなる、電極。
２．前記樹脂と導電性材料との重量比が０．００１〜１００：１である、請求項１に記載の電極。
３．前記導電性材料が、炭素および／または非炭素導電性充填材を含んでなる、請求項１または２に記載の電極。
４．前記炭素がグラファイトまたは無定形炭素の形態にあり、かつ／もしくは前記非炭素導電性充填材が、金属、金属酸化物、および／または金属被覆されたグラファイト、および／またはガラスの形態にある、請求項３に記載の電極。
５．前記樹脂が、エステル硬化剤と、フェノール系レゾールおよび塩基との反応生成物である、請求項１〜４のいずれか一項に記載の電極。
６．  前記フェノール系レゾールが、フェノール反応性アルデヒドと式：
【化２】
2011077053.tif 000008
（式中、Ｒ１は、直鎖状または分岐鎖状の、所望により不飽和の、１〜８個の炭素原子（好ましくは１〜４個の炭素原子、より好ましくは１〜２個の炭素原子）を含み、所望によりハロゲン原子（好ましくは塩素）またはヒドロキシ基により置換されたアルキル基、ハロゲン原子（好ましくは塩素）、ヒドロキシ基、および／またはフェニルまたはベンジル基（所望によりヒドロキシ基および／または直鎖状または分岐鎖状の、１〜８個の炭素原子（好ましくは１〜４個の炭素原子、より好ましくは１〜２個の炭素原子）を含み、所望によりハロゲン原子（好ましくは塩素）またはヒドロキシ基により置換されたアルキル基により置換されている）であり、
Ｍは、水素イオンと少なくとも一種の他の陽イオン（好ましくは、前記少なくとも一種の他の陽イオンは、アルカリ金属陽イオン（好ましくはナトリウム、リチウムまたはカリウム）、アルカリ土類金属陽イオン（好ましくはバリウム、マグネシウムまたはカルシウム）、および／またはＮ（Ｒ２）４＋イオン（ここで各Ｒ２は、同一であるか、または異なるものであって、水素または直鎖状または分岐鎖状の、１〜４個の炭素原子を含むアルキル基）である）の混合物であり、水素イオンと前記少なくとも一種の他の陽イオンのモル比は、ｐＨが７を超えるのに十分であり、好ましくは２：１〜１：１であり、
ｎは０〜２である）
のアルカリ性化合物の反応生成物である、請求項５に記載の電極。
７．前記フェノール反応性アルデヒドが、式：
ＲＣＨＯ                            (II)
（式中、Ｒは水素原子、または直鎖状または分岐鎖状の、１〜８個（好ましくは１〜４個、より好ましくは１〜２個、最も好ましくは１個）の炭素原子を含むアルキル基を表す）
の化合物、または式(II)の化合物の前駆物質である、請求項６に記載の電極。
８．前記フェノール反応性アルデヒドが前記式(I)の化合物と、１：１〜１：３、好ましくは１：１．２〜１：３、より好ましくは１：１．５〜１：３の比で反応する、請求項６または７に記載の電極。
９．前記エステル硬化剤が、式：
Ｒ３ＣＯＯＲ４                      (III)
（式中、Ｒ３は、水素原子または直鎖状または分岐鎖状の、１〜８個の炭素原子（好ましくは１〜４個、より好ましくは１〜２個の炭素原子）を含み、所望によりハロゲン原子により置換されたアルキル基を表し、
Ｒ４は、直鎖状または分岐鎖状の、１〜８個の炭素原子（好ましくは１〜４個、より好ましくは１〜２個の炭素原子）を含み、所望により一個以上のヒドロキシおよび／またはＲ３ＣＯＯ基により置換されたアルキル基、または
所望により直鎖状または分岐鎖状の、所望により不飽和の、１〜８個の炭素原子（好ましくは１〜４個の炭素原子、より好ましくは１〜２個の炭素原子）を含み、所望によりヒドロキシ基により置換されたアルキル基、ハロゲン原子（好ましくは塩素）、ヒドロキシ基、および／またはフェニルまたはベンジル基（所望によりヒドロキシ基および／または直鎖状または分岐鎖状の、１〜８個の炭素原子（好ましくは１〜４個、より好ましくは１〜２個の炭素原子）を含むアルキル基により置換されてなる）により置換されたフェニル基
を表すか、または
Ｒ３は、Ｒ４との化学結合を表し、Ｒ４は、直鎖状または分岐鎖状の、２〜１０個の炭素原子（好ましくは２〜４個の炭素原子）を含むアルキル基を表す）
を有する、請求項５〜８のいずれか一項に記載の電極。
１０．前記樹脂が、前記樹脂の可撓性を増加するために可塑剤を含む、請求項１〜９のいずれか一項に記載の電極。
１１．実質的に本願明細書に記載された、および／または、図３および／または図４の参照図面に示された、電極。
１２．ガス流を導くための一個以上のフローフィールドを有する燃料電池で使用するのに好適なセパレータプレートであって、前記プレートが、導電性アルカリ塩を含み、エステル硬化させたアルカリ性フェノール系レゾール樹脂を含んでなる、セパレータプレート。
１３．前記樹脂が、請求項２〜１１のいずれか一項に規定されたものである、請求項１２に記載のセパレータプレート。
１４．２個のフローフィールドを有する、請求項１２または１３に記載のセパレータプレート。
１５．実質的に本願明細書に記載された、および／または、図４および／または図５の参照図面に示された、セパレータプレート。
１６．導電性アルカリ塩を含み、エステル硬化させたアルカリ性フェノール系レゾール樹脂を含んでなる、電気装置で使用するのに好適な電解質。
１７．前記樹脂が、請求項１〜１１のいずれか一項、好ましくは請求項５〜１１のいずれか一項に規定されたものである、請求項１６に記載の電解質。
１８． （ａ）負電極、
（ｂ）正電極、および
（ｃ）電解質手段、ならびに、所望により
（ｄ）セパレータおよび／または双極性プレート
を含んでなる電気装置であって、一個以上の電極、電解質および／またはセパレータまたは双極性プレートが、導電性アルカリ塩を含み、エステル硬化させたアルカリ性フェノール系レゾール樹脂を含んでなる、電気装置。
１９．前記樹脂が、請求項１〜１１のいずれか一項に規定されたものである、請求項１８に記載の電気装置。
２０．前記セパレータプレートが請求項１２〜１５のいずれか一項に規定されたものである、請求項１８または１９に記載の電気装置。
２１．電池、２個以上の電池を含むバッテリー、またはコンデンサーである、請求項１８〜２０のいずれか一項に記載の電気装置。
２２．前記電解質手段が、電解質の形態にあるか、または電解質を受け入れるように配置されている、請求項１８〜２１のいずれか一項に記載の電気装置。
２３．前記電解質手段が、前記電池が作動する際に電解質が流れることができる導管の形態にあるか、または少なくとも前記電池が作動する際に電解質を入れることができる容器の形態にある、請求項２２に記載の電気装置。
２４．実質的に本願明細書に記載された、および／または、図３〜５の参照図面に示された、電気装置。
２５．導電性材料でドーピングした、導電性アルカリ塩を含み、エステル硬化させたアルカリ性フェノール系レゾール樹脂を発泡させた立体的な形態の、電極としての使用。
２６．導電性材料でドーピングした、導電性アルカリ塩を含み、エステル硬化させたアルカリ性フェノール系レゾール樹脂の、電極としての使用。
２７．導電性アルカリ塩を含み、エステル硬化させたアルカリ性フェノール系レゾール樹脂の、電極としての使用。
２８．導電性アルカリ塩を含み、エステル硬化させたアルカリ性フェノール系レゾール樹脂の、電磁遮蔽材料としての使用。
２９．導電性アルカリ塩を含み、エステル硬化させたアルカリ性フェノール系レゾール樹脂の、任意の場所における静電気放電を防止するための使用。
３０．前記エステル硬化させた塩含有アルカリ性レゾール樹脂が、請求項１〜１１のいずれか一項に規定されたものである、請求項２５〜２９のいずれか一項に記載の使用。
３１．電子製品における電磁的干渉を抑制する方法であって、前記電子製品をエステル硬化させた塩含有アルカリ性レゾール樹脂で遮蔽することを含む、方法。
３２．前記遮蔽が、エステル硬化させた塩含有アルカリ性レゾール樹脂から少なくとも部分的に構築されたハウジングを前記電子製品に備えることを含む、請求項３１に記載の方法。
３３．任意の場所における静電気放電を防止する方法であって、エステル硬化させた塩含有アルカリ性レゾール樹脂を前記場所に備えてなることを含む、方法。
３４．前記エステル硬化させた塩含有アルカリ性レゾール樹脂が、請求項１〜１１のいずれか一項に規定されたものである、請求項３１〜３３のいずれか一項に記載の方法。
【図１】
2011077053.tif 000010
【図２】
2011077053.tif 000011
【図３】
2011077053.tif 000012
【図４】
2011077053.tif 000013
【図５】
2011077053.tif 000014
【図６】
2011077053.tif 000015